(57)【要約】      （修正有）【課題】屋内に居ながらにして、雨の音などの屋外音を聴取することができるとともに、静寂の中でわずかに感じられる降雪時の雰囲気音などのみならず、屋外の不審な物音等をも聴取することが可能な屋外音聴取装置を提供する。【解決手段】建築物２１の壁面２２に埋設されたハウジング２３と、ハウジングの外壁側に設置された屋外の所定レベル以上の音を集音してＯＮする集音用マイクロフォン１１と、該集音用マイクロフォンに接続され、上記屋外の音を適当な大きさに増幅するアンプ１２と、ハウジングの内壁側に設置され、前記アンプに接続された屋内スピーカ１３とを備え、前記集音用マイクロフォンから集音した屋外の音を屋内スピーカで室内側に流すことにより、屋外における侵入者の音や季節の音等を室内側で聴取し得るようにしたことを特徴とする屋外音聴取装置。【選択図】図１
0003130260.tif 000002
【実用新案登録請求の範囲】
【請求項１】
建築物の壁面に埋設されたハウジングと、ハウジングの外壁側に設置された屋外の所定レベル以上の音を集音してＯＮする集音用マイクロフォンと、該集音用マイクロフォンに接続され、上記屋外の音を適当な大きさに増幅するアンプと、ハウジングの内壁側に設置され、前記アンプに接続された屋内スピーカとを備え、前記集音用マイクロフォンから集音した屋外の音を屋内スピーカで室内側に流すことにより、屋外における侵入者の音や季節の音等を室内側で聴取し得るようにしたことを特徴とする屋外音聴取装置。
【請求項２】
集音用マイクロフォンが、一定レベル以上の音量を集音した段階で警報が発動するように構成されていることを特徴とする請求項１に記載の屋外音聴取装置。
【請求項３】
集音用マイクロフォンが、足音や物音、人の声等のみ抽出し、警報が発動するように構成されていることを特徴とする請求項１または２に記載の屋外音聴取装置。
【請求項４】
集音用マイクロフォンおよび屋内スピーカは、それぞれハウジング内に設けた端子を利用して、延長コードにより任意の位置に設置したり、複数個設置したりすることを可能としたことを特徴とする請求項１ないし３のいずれかに記載の屋外音聴取装置。
【請求項５】
集音用マイクロフォンおよび屋内スピーカは、ホームセキュリティ回線に接続され、緊急時のホームセキュリティ機構と連動するようにしたことを特徴とする請求項１ないし４のいずれかに記載の屋外音聴取装置。
【考案の詳細な説明】
【技術分野】
【０００１】
本考案は、屋外音聴取装置に係り、室内側で屋外の風の音、雨の音、積雪時の音、また不審な物音などの屋外音を聴取することが可能な屋外音聴取装置に関する。
【背景技術】
【０００２】
近年、住宅等の建築物が防音設備を施されていたり、高気密化していて、室内において自然音を聴取できる機会は著しく減少している。
その一方で、風の音、雨音、虫の音や波の音などの自然が発する屋外音の癒し効果が見直され、このような自然音や雰囲気音が記録されたコンパクトディスク、カセットテープ、ミニディスクなどの商品が広く出回るようになっている。
【０００３】
屋外音を室内において聴取することを目的とした考案としては、特開２００６−０１３６４９公報（特許文献１参照）や特開平７−０９５６８１号公報（特許文献２参照）等に記載されたものが知られている。
前者は、インターホンの室内機を用いて屋外音を聴取するようにしたものであり、後者は集音時の信号の特性を記憶した特性条件と比較するようにした考案である。
【特許文献１】特開２００６−０１３６４９公報
【特許文献２】特開平７−０９５６８１号公報
【考案の開示】
【考案が解決しようとする課題】
【０００４】
しかしながら、コンパクトディスクやミニディスクに録音されている自然音は、画一的で、何度か視聴しているうちに飽きてしまうと言う問題点がある。また、特開２００６−０１３６４９公報の装置は、インターホンの室内機を用いて屋外音を聴取するようにしたものであり、屋外の音を室内にて聴取することを基本とするものではなかった。
【０００５】
本考案は、このような諸事情に対処するために提案されたものであって、屋内に居ながらにして、雨の音などの屋外音を聴取することができるとともに、静寂の中でわずかに感じられる降雪時の雰囲気音などのみならず、屋外の不審な物音等をも聴取することが可能な屋外音聴取装置を提供することを目的とする。
【課題を解決するための手段】
【０００６】
上記目的を達成するために、請求項１記載の考案は、建築物の壁面に埋設されたハウジングと、ハウジングの外壁側に設置された屋外の所定レベル以上の音を集音してＯＮする集音用マイクロフォンと、該集音用マイクロフォンに接続され、上記屋外の音を適当な大きさに増幅するアンプと、ハウジングの内壁側に設置され、前記アンプに接続された屋内スピーカとを備え、前記集音用マイクロフォンから集音した屋外の音を屋内スピーカで室内側に流すことにより、屋外における侵入者の音や季節の音等を室内側で聴取し得るようにしたことを特徴とするものである。
【０００７】
請求項２記載の考案は、集音用マイクロフォンが、一定レベル以上の音量を集音した段階で警報が発動するように構成されていることを特徴とするものである。
【０００８】
請求項３記載の考案は、集音用マイクロフォンが、足音や物音、人の声等のみ抽出し、警報が発動するように構成されていることを特徴とするものである。
【０００９】
請求項４記載の考案は、集音用マイクロフォンおよび屋内スピーカは、それぞれハウジング内に設けた端子を利用して、延長コードにより任意の位置に設置したり、複数個設置したりすることを可能としたことを特徴とするものである。
【００１０】
請求項５記載の考案は、集音用マイクロフォンおよび屋内スピーカは、ホームセキュリティ回線に接続され、緊急時のホームセキュリティ機構と連動するようにしたことを特徴とするものである。
【考案の効果】
【００１１】
上述のように、請求項１ないし５に記載の考案によれば、屋外の音を、そのまま室内にて聴取し得るようにしているので、設備費が最小限ですみ、例えば屋外の自然音を低コストで室内で聴取して楽しむことができるようになる。
【００１２】
また、屋外の音を集音用マイクロフォンで聴取してアンプで増幅し、室内側の屋内スピーカで市聴取できるようにしているので、室内屋内スピーカが設置されている部屋やそれ以外の居室においても、屋外の自然音を聴取して楽しんだり、屋外の不審な物音を聴取することができる。
【考案を実施するための最良の形態】
【００１３】
以下、本考案に係る屋外音聴取装置の好適な実施形態を、添付図面を参照して詳細に説明する。
図１は本考案に係る屋外音聴取装置の一実施例を示す設置状態の概略断面図、図２は屋内側の概略正面図である。
【００１４】
図１に示されるように、この実施例の屋外音集音装置は、屋外の音を集音する集音用マイクロフォン１１と、該集音用マイクロフォン１１に接続され、上記屋外の音を適当な大きさに増幅するアンプ１２と、該アンプ１２に接続された屋内スピーカ１３とからなっている。
【００１５】
より詳しく説明すると、上記集音用マイクロフォン１１、アンプ１２および屋内スピーカ１３は、建築物２１の壁面２２に埋設されたハウジング２３内に収納されている。このハウジング２３は、アルミやステンレス等の金属や、対候性に優れたＦＲＰ、硬質プラスチック、またレジンコンクリート等の素材で形成することができる。もちろん、素材に応じて結露防止等の手段を施しておくことが必要である。
【００１６】
すなわち、集音用マイクロフォン１１は上記ハウジング２３の外壁側に設置され、屋外の所定レベル以上の音を集音してＯＮするようになっている。またアンプ１２は上記ハウジング２３内に収納され、また前記集音用マイクロフォン１１に接続されていて、上記自然音を適当な大きさに増幅するものである。さらに屋内スピーカ１３は、前記ハウジング２３の内壁側に設置され、前記アンプ１２に接続されている。
【００１７】
前記集音用マイクロフォン１１としては、その目的に応じて屋外の音を全方位から集音できる性質のものや指向性のある性質のもの、その他の性質等を適宜選択して設置したり、それらを併設してもよい。またＯＮ−ＯＦＦ機構は、音量センサであったり、集音用マイクロフォン１１に内蔵した集音レベル調節用のボリュームであったりすることができる。
同様に、本考案の屋外音聴取装置に監視カメラや投光機、チャイム、監視カメラの映像を写す受像機、また赤外線感知器等を増設することにより、人や害獣等の動きをキャッチして音声と映像を自動的に報知し、住宅等の警備装置としての機能を持たせることもできる。
【００１８】
前記アンプ１２は、屋外の音をそのまま増幅する性質のものや、特定の音声のみを増幅する性質のもの等から適宜選択して設置することができる。例えば屋外の風の音、雨の音、積雪時の音をそのまま増幅する性質のものであったり、また不審な物音（の波長）のみを選択して増幅する性質のものとすることができる。
また前記屋内スピーカ１３としては、前記アンプ１２で増幅された音をそのまま拡声するものや、屋外の風の音、雨の音、積雪時の音を選択的に拡声するもの、あるいは不審な物音のみを選択的に拡声するものとすることができる。
【００１９】
以上のように構成した本考案の屋外音聴取装置は、前記集音用マイクロフォン１１から集音した屋外の音をアンプ１２で増幅し、屋内スピーカ１３で室内側に流すことにより、屋外における侵入者の音や季節の音等を室内側で聴取し得るようになった。
【００２０】
前記したように、集音用マイクロフォン１１は上記ハウジング２３の外壁側に設置され、屋外の所定レベル以上の音を集音してＯＮするようになっているが、また一定レベル以上の音量が発生した段階で警報が発動するようにし、就寝中などにおいても直ちに目が覚めるようにしてもよい。
このような機構としては、火災報知器や一酸化炭素濃度警報器に接続し、警報が発せられるようにすることが考えられる。
すなわち、上記ハウジング２３内に各種の端子、たとえば火災報知器用端子や一酸化炭素濃度警報器用端子を設けておき、これらに火災報知センサや一酸化炭素濃度センサを接続するとともに、警報器をも接続することによって所定の警報を発することができるようにすればよい。
また前記ハウジング２３内にインターホン端子を設け、この端子にインターホン回線を接続すればインターホンとしても機能させることができるようになる。
【００２１】
さらに、集音用マイクロフォン１１から入力された屋外の音の中から、足音や物音、人の声等のみ抽出し、警報が発動するようにすることもできる。そのような機構としては、集音用マイクロフォン１１から入力される自然音の中から特定の波長を消去して足音や物音、人の声等のみ集音したり、集音用マイクロフォン１１から入力される自然音の中から特定の波長のみをピックアップすることが考えられる。
この考案の屋外音集音装置において集音用マイクロフォン１１および屋内スピーカ１３は、それぞれハウジング２３内に設けた端子を利用して、延長コード等により屋外や屋内の任意の位置に設置したり、複数個設置したりすることが可能である。
【００２２】
また、この考案の屋外音集音装置をそれぞれの部屋等に設置すること等により、複数個設置した場合、ハウジング内にグループ接続端子を設けることによって特定の場所で一括して、すなわち、複数箇所の聴取を可能とすることもできる。
その場合は図２に示すように、グループ制御回路に表示ランプ２５を設け、方位を表示した表示パネル２４に発報個所を表示ランプ２５によって表示して、どの方位の集音用マイクロフォンが作動しているのかを確認することができるようになっている。
もちろん、この考案の屋外音集音装置のＯＮ−ＯＦＦや集音用マイクロフォン・屋内スピーカ等の音量調整、タイマ等の制御機構を赤外線等によって遠隔操作可能なものとしておけば、リモコン等による操作も可能とすることができる。
【００２３】
また、この考案の屋外音集音装置をホームセキュリティ回線に接続することにより、緊急時のホームセキュリティ機構と連動させることもできる。
すなわち、警備会社のホームセキュリティを提供するサービスを行う回線にこの考案の屋外音集音装置を接続し、防犯や非常時の通報、火災監視、ガス漏れ監視、救急通報、断線監視、屋外画像監視、老人や身体障害者の生活状況の監視等の各種のサービスと連動させることができる。
【産業上の利用可能性】
【００２４】
以上説明したように、本考案によれば住宅のみならず種々の建築物の屋外音集音装置として利用することができ、風の音、雨音、虫の音や波の音などの自然が発する屋外音の癒し効果を住宅以外の事業所や事務所、その他適宜の用途にも応用することができる。
【図面の簡単な説明】
【００２５】
【図１】本考案に係る屋外音聴取装置の一実施例を示す設置状態の概略断面図である。
【図２】屋内側の概略正面図である。
【符号の説明】
【００２６】
１１  集音用マイクロフォン
１２  アンプ
１３  屋内スピーカ
２１  建築物
２２  壁面
２３  ハウジング
【図１】
0003130260.tif 000003
【図２】
0003130260.tif 000004